(57)【要約】【課題】従来に比べ生産コストを低く抑えることができる表示装置およびバックライトを提供する。【解決手段】第１ＬＥＤ基板１１０Ｌおよび第２ＬＥＤ基板１１０Ｒを含み、各ＬＥＤ基板は、当該ＬＥＤ基板の表面に当該ＬＥＤ基板の長辺方向に並べられ、かつ直列接続された複数のＬＥＤ１１２と、当該ＬＥＤ基板の一の短辺に設けられ、かつ複数のＬＥＤ１１２のうち直列接続の開始位置のＬＥＤ１１２のアノードに接続された第１端子１１４Ａと、複数のＬＥＤ１１２のうち直列接続の終了位置のＬＥＤ１１２のカソードに接続された第２端子１１４Ｂとを有する第１コネクタ１１４とを含み、第１ＬＥＤ基板１１０Ｌの第２端子１１４Ｂと、第２ＬＥＤ基板１１０Ｒの第１端子１１４Ａとは接続され、第１ＬＥＤ基板１１０Ｌの第１端子１１４Ａは、電源回路の正極に接続され、第２ＬＥＤ基板１１０Ｒの第２端子１１４Ｂは、電源回路の負極に接続される。【選択図】図６
2014206641.tif 000002
【特許請求の範囲】
【請求項１】
表示パネルと、
前記表示パネルの背面に向けて光を照射するバックライトと、
前記バックライトに電力を供給する電源回路とを備え、
前記バックライトは、少なくとも１つのＬＥＤ基板ユニットを含み、
各前記ＬＥＤ基板ユニットは、一列に並べられた第１ＬＥＤ基板および第２ＬＥＤ基板を含み、
前記第１ＬＥＤ基板および前記第２ＬＥＤ基板の各々は、
当該ＬＥＤ基板の表面に当該ＬＥＤ基板の長辺方向に並べられ、かつ直列接続された複数のＬＥＤと、
当該ＬＥＤ基板の一の短辺に設けられ、かつ前記複数のＬＥＤのうち直列接続の開始位置のＬＥＤのアノードに接続された第１端子と、前記複数のＬＥＤのうち直列接続の終了位置のＬＥＤのカソードに接続された第２端子とを有する第１コネクタとを含み、
前記第１ＬＥＤ基板の前記第１コネクタの前記第２端子と、前記第２ＬＥＤ基板の前記第１コネクタの前記第１端子とは接続され、
前記第１ＬＥＤ基板の前記第１コネクタの前記第１端子は、前記電源回路の正極に接続され、
前記第２ＬＥＤ基板の前記第１コネクタの前記第２端子は、前記電源回路の負極に接続される
表示装置。
【請求項２】
前記第１ＬＥＤ基板の前記第１コネクタと、前記第２ＬＥＤ基板の前記第１コネクタとは対向する位置に配置される
請求項１に記載の表示装置。
【請求項３】
さらに、
一端に第１端子および第２端子を含み、他端に第３端子および第４端子を含み、前記第１端子および前記第３端子が接続され、前記第２端子に接続された第１ケーブルおよび前記第４端子に接続された第２ケーブルを含む基板間コネクタを備え、
前記基板間コネクタの前記第２端子と前記電源回路の正極とは前記第１ケーブルにより接続され、
前記基板間コネクタの前記第４端子と前記電源回路の負極とは前記第２ケーブルにより接続され、
前記基板間コネクタの前記第１端子が、前記第１ＬＥＤ基板の前記第１コネクタの前記第２端子に接続され、
前記基板間コネクタの前記第２端子が、前記第１ＬＥＤ基板の前記第１コネクタの前記第１端子に接続され、
前記基板間コネクタの前記第３端子が、前記第２ＬＥＤ基板の前記第１コネクタの前記第１端子に接続され、
前記基板間コネクタの前記第４端子が、前記第２ＬＥＤ基板の前記第１コネクタの前記第２端子に接続される
請求項２に記載の表示装置。
【請求項４】
前記基板間コネクタと、前記第１ＬＥＤ基板の前記第１コネクタまたは前記第２ＬＥＤ基板の前記第１コネクタとを接続する各端子組において、一方の端子はオス形状を有し、他方の端子はメス形状を有する
請求項３に記載の表示装置。
【請求項５】
各前記ＬＥＤ基板ユニットは、さらに、前記第１ＬＥＤ基板および前記第２ＬＥＤ基板と一列に並べられた第３ＬＥＤ基板を含み、
前記第１ＬＥＤ基板および前記第２ＬＥＤ基板の各々は、さらに、当該ＬＥＤ基板の他の短辺に設けられ、前記第１コネクタの前記第１端子に接続された第３端子と、前記複数のＬＥＤのうち直列接続の開始位置のＬＥＤのアノードに接続された第４端子とを有する第２コネクタを含み、
前記第３ＬＥＤ基板は、前記第１ＬＥＤ基板および前記第２ＬＥＤ基板と同一の構成を有し、
前記第１ＬＥＤ基板の前記第２コネクタの前記第３端子および前記第４端子は接続され、
前記第２ＬＥＤ基板の前記第２コネクタの前記第３端子と、前記第３ＬＥＤ基板の前記第２コネクタの前記第４端子とは接続され、
前記第２ＬＥＤ基板の前記第２コネクタの前記第４端子と、前記第３ＬＥＤ基板の前記第２コネクタの前記第３端子とは接続され、
前記第３ＬＥＤ基板の前記第１コネクタの前記第１端子および前記第２端子は接続される
請求項１〜４のいずれか１項に記載の表示装置。
【請求項６】
前記第１ＬＥＤ基板、前記第２ＬＥＤ基板および前記第３ＬＥＤ基板の各々は、
前記第１コネクタの前記第１端子および前記第２端子の間を接続状態または非接続状態にするための第１ジャンパと、
前記第２コネクタの前記第３端子および前記第４端子の間を接続状態または非接続状態にするための第２ジャンパとを含み、
前記第１ＬＥＤ基板の前記第２コネクタの前記第３端子および前記第４端子は、前記第１ＬＥＤ基板の前記第２ジャンパにより接続され、
前記第１ＬＥＤ基板の前記第１ジャンパ、前記第２ＬＥＤ基板の前記第１ジャンパおよび前記第２ジャンパ、ならびに前記第３ＬＥＤ基板の前記第２ジャンパは、当該ジャンパに割り当てられた端子間を非接続状態にし、
前記第３ＬＥＤ基板の前記第１コネクタの前記第１端子および前記第２端子は、前記第３ＬＥＤ基板の前記第１ジャンパにより接続される
請求項５に記載の表示装置。
【請求項７】
前記第１ＬＥＤ基板および前記第２ＬＥＤ基板の前記第１コネクタは、当該ＬＥＤ基板の裏面に設けられている
請求項１〜６のいずれか１項に記載の表示装置。
【請求項８】
少なくとも１つのＬＥＤ基板ユニットを備え、
各前記ＬＥＤ基板ユニットは、第１ＬＥＤ基板および第２ＬＥＤ基板を含み、
前記第１ＬＥＤ基板および前記第２ＬＥＤ基板の各々は、
当該ＬＥＤ基板の表面に当該ＬＥＤ基板の長辺方向に並べられ、かつ直列接続された複数のＬＥＤと、
当該ＬＥＤ基板の一の短辺に設けられ、かつ前記複数のＬＥＤのうち直列接続の開始位置のＬＥＤのアノードに接続された第１端子と、前記複数のＬＥＤのうち直列接続の終了位置のＬＥＤのカソードに接続された第２端子とを有する第１コネクタとを含み、
前記第１ＬＥＤ基板の前記第１コネクタの前記第２端子と、前記第２ＬＥＤ基板の前記第１コネクタの前記第１端子とは接続され、
前記第１ＬＥＤ基板の前記第１コネクタの前記第１端子は、電源回路の正極に接続され、
前記第２ＬＥＤ基板の前記第１コネクタの前記第２端子は、前記電源回路の負極に接続される
バックライト。
【発明の詳細な説明】
【技術分野】
【０００１】
本発明は、バックライトを有する表示装置に関する。
【背景技術】
【０００２】
液晶表示装置に代表される各種表示装置には、表示パネルの背面に向けて光を照射する直下型のバックライトが備えられている（例えば、特許文献１参照）。
【０００３】
図１７は、従来のバックライトの概略構成を示す模式図である。
【０００４】
バックライト１５０Ａは、表示装置の表示パネルと、表示パネルの背面側に設けられたリアフレーム１０２との間に設けられる。
【０００５】
バックライト１５０Ａは、複数（図１７では３つ）のＬＥＤ基板ユニット１５０を含む。各ＬＥＤ基板ユニット１５０は、ＬＥＤ駆動回路１０３に接続され、ＬＥＤ駆動回路１０３から供給される電力により駆動する。
【０００６】
図１８は、ＬＥＤ基板ユニット１５０の概略構成を示す模式図である。図１９は、ＬＥＤ基板ユニット１５０の回路図である。
【０００７】
ＬＥＤ基板ユニット１５０は、リアフレーム１０２の左側に配置された第１ＬＥＤ基板１５０Ｌと、リアフレーム１０２の右側に配置された第２ＬＥＤ基板１５０Ｒとを含む。ＬＥＤ基板ユニット１５０は、直列接続された複数のＬＥＤ１１２と、第１コネクタ１５１と、第２コネクタ１５２とを含む。第２ＬＥＤ基板１５０Ｒは、直列接続された複数のＬＥＤ１１２と、第３コネクタ１５３とを含む。
【０００８】
第１コネクタ１５１は、第１端子１５１Ａと、第２端子１５１Ｂとを含む。第２コネクタ１５２は、第３端子１５２Ａと、第４端子１５２Ｂとを含む。第３コネクタ１５３は、第５端子１５３Ａと、第６端子１５３Ｂとを含む。
【０００９】
第１端子１５１Ａは、第１ＬＥＤ基板１５０Ｌに配置された複数のＬＥＤ１１２のうち、直列接続の開始位置のＬＥＤ１１２のアノードに接続されると共に、ケーブル１１８を介してＬＥＤ駆動回路１０３の正極に接続される。
【００１０】
第２端子１５１Ｂは、第４端子１５２Ｂに接続されると共に、ケーブル１２０を介してＬＥＤ駆動回路１０３の負極に接続される。
【００１１】
第３端子１５２Ａは、第１ＬＥＤ基板１５０Ｌに配置された複数のＬＥＤ１１２のうち、直列接続の終了位置のＬＥＤ１１２のカソードに接続されると共に、ケーブル１５４を介して、第５端子１５３Ａに接続される。
【００１２】
第４端子１５２Ｂは、上述したように第２端子１５１Ｂに接続されると共に、ケーブル１５６を介して第６端子１５３Ｂに接続される。
【００１３】
第５端子１５３Ａは、第２ＬＥＤ基板１５０Ｒに配置された複数のＬＥＤ１１２のうち、直列接続の開始位置のＬＥＤ１１２のアノードに接続される。
【００１４】
第６端子１５３Ｂは、第２ＬＥＤ基板１５０Ｒに配置されたＬＥＤ１１２のうち、直列接続の終了位置のＬＥＤ１１２のカソードに接続される。
【００１５】
このように、ＬＥＤ基板ユニット１５０は、ＬＥＤ基板のサイズの制約より、複数のＬＥＤ基板により構成される。
【先行技術文献】
【特許文献】
【００１６】
【特許文献１】特開２０１２−９２２０号公報
【発明の概要】
【発明が解決しようとする課題】
【００１７】
しかしながら、従来、２枚のＬＥＤ基板によりＬＥＤ基板ユニット１５０を構成している。よって、各ＬＥＤ基板ユニット１５０につき、３つのコネクタと、４本のケーブルが必要となる。また、第１ＬＥＤ基板１５０Ｌと第２ＬＥＤ基板１５０Ｒとでは回路構成が異なる。このため、これらの要因により、バックライト１５０Ａの生産コスト、延いては表示装置の生産コストが高くなるという課題がある。
【００１８】
本発明は、上述の課題を解決するためになされたものであり、複数のＬＥＤ基板でＬＥＤ基板ユニットを構成した場合に、従来に比べ生産コストを低く抑えることができる表示装置およびバックライトを提供することを目的とする。
【課題を解決するための手段】
【００１９】
上記目的を達成するために、本発明の一態様に係る表示装置は、表示パネルと、前記表示パネルの背面に向けて光を照射するバックライトと、前記バックライトに電力を供給する電源回路とを備え、前記バックライトは、少なくとも１つのＬＥＤ基板ユニットを含み、各前記ＬＥＤ基板ユニットは、一列に並べられた第１ＬＥＤ基板および第２ＬＥＤ基板を含み、前記第１ＬＥＤ基板および前記第２ＬＥＤ基板の各々は、当該ＬＥＤ基板の表面に当該ＬＥＤ基板の長辺方向に並べられ、かつ直列接続された複数のＬＥＤと、当該ＬＥＤ基板の一の短辺に設けられ、かつ前記複数のＬＥＤのうち直列接続の開始位置のＬＥＤのアノードに接続された第１端子と、前記複数のＬＥＤのうち直列接続の終了位置のＬＥＤのカソードに接続された第２端子とを有する第１コネクタとを含み、前記第１ＬＥＤ基板の前記第１コネクタの前記第２端子と、前記第２ＬＥＤ基板の前記第１コネクタの前記第１端子とは接続され、前記第１ＬＥＤ基板の前記第１コネクタの前記第１端子は、前記電源回路の正極に接続され、前記第２ＬＥＤ基板の前記第１コネクタの前記第２端子は、前記電源回路の負極に接続される。
【００２０】
これによると、第１ＬＥＤ基板と第２ＬＥＤ基板との構成を同一にすることができる。また、各ＬＥＤ基板ユニットに含まれるコネクタの数は２つである。さらに、各ＬＥＤ基板ユニットに必要なケーブルは、第１コネクタ間を接続するためのケーブル、第１ＬＥＤ基板の第１コネクタと電源回路の正極を接続するためのケーブル、および第２ＬＥＤ基板の第１コネクタと電源回路の負極を接続するためのケーブルの３本である。このため、従来に比べ、コネクタの数およびケーブルの本数を減らすことができる。よって、複数のＬＥＤ基板でＬＥＤ基板ユニットを構成した場合に、従来に比べ生産コストを低く抑えることができる。
【００２１】
また、前記第１ＬＥＤ基板の前記第１コネクタと、前記第２ＬＥＤ基板の前記第１コネクタとは対向する位置に配置されても良い。
【００２２】
これによると、第１ＬＥＤ基板と、第２ＬＥＤ基板との向きを異ならせて、両者が並べて配置される。このため、第１ＬＥＤ基板と第２ＬＥＤ基板とを結ぶケーブルの長さを短くすることができる。
【００２３】
また、上述の表示装置は、さらに、一端に第１端子および第２端子を含み、他端に第３端子および第４端子を含み、前記第１端子および前記第３端子が接続され、前記第２端子に接続された第１ケーブルおよび前記第４端子に接続された第２ケーブルを含む基板間コネクタを備え、前記基板間コネクタの前記第２端子と前記電源回路の正極とは前記第１ケーブルにより接続され、前記基板間コネクタの前記第４端子と前記電源回路の負極とは前記第２ケーブルにより接続され、前記基板間コネクタの前記第１端子が、前記第１ＬＥＤ基板の前記第１コネクタの前記第２端子に接続され、前記基板間コネクタの前記第２端子が、前記第１ＬＥＤ基板の前記第１コネクタの前記第１端子に接続され、前記基板間コネクタの前記第３端子が、前記第２ＬＥＤ基板の前記第１コネクタの前記第１端子に接続され、前記基板間コネクタの前記第４端子が、前記第２ＬＥＤ基板の前記第１コネクタの前記第２端子に接続されても良い。
【００２４】
これによると、基板間コネクタにおける第１端子および第３端子が予め接続されている。このため、第１ＬＥＤ基板の第１コネクタと第２ＬＥＤ基板の第１コネクタとを基板間コネクタを用いて接続するだけで、第１ＬＥＤ基板と第２ＬＥＤ基板とを接続することができる。また、予め第１ケーブルおよび第２ケーブルが基板間コネクタに接続されていることより、第１ＬＥＤ基板の第１コネクタの第１端子を第１ケーブルに接続する手間と、第２ＬＥＤ基板の第１コネクタの第２端子を第２ケーブルに接続する手間とを削減することができる。
【００２５】
また、前記基板間コネクタと、前記第１ＬＥＤ基板の前記第１コネクタまたは前記第２ＬＥＤ基板の前記第１コネクタとを接続する各端子組において、一方の端子はオス形状を有し、他方の端子はメス形状を有しても良い。
【００２６】
このように端子組の一方をオス形状、一方をメス形状とすることにより、コネクタ同士を直接接続することができる。
【００２７】
また、各前記ＬＥＤ基板ユニットは、さらに、前記第１ＬＥＤ基板および前記第２ＬＥＤ基板と一列に並べられた第３ＬＥＤ基板を含み、前記第１ＬＥＤ基板および前記第２ＬＥＤ基板の各々は、さらに、当該ＬＥＤ基板の他の短辺に設けられ、前記第１コネクタの前記第１端子に接続された第３端子と、前記複数のＬＥＤのうち直列接続の開始位置のＬＥＤのアノードに接続された第４端子とを有する第２コネクタを含み、前記第３ＬＥＤ基板は、前記第１ＬＥＤ基板および前記第２ＬＥＤ基板と同一の構成を有し、前記第１ＬＥＤ基板の前記第２コネクタの前記第３端子および前記第４端子は接続され、前記第２ＬＥＤ基板の前記第２コネクタの前記第３端子と、前記第３ＬＥＤ基板の前記第２コネクタの前記第４端子とは接続され、前記第２ＬＥＤ基板の前記第２コネクタの前記第４端子と、前記第３ＬＥＤ基板の前記第２コネクタの前記第３端子とは接続され、前記第３ＬＥＤ基板の前記第１コネクタの前記第１端子および前記第２端子は接続されても良い。
【００２８】
これによると、第１ＬＥＤ基板と、第２ＬＥＤ基板と、第３ＬＥＤ基板との構成を同一にして、３枚のＬＥＤ基板を並べて配置することができる。このため、複数のＬＥＤ基板でＬＥＤ基板ユニットを構成した場合に、従来に比べ生産コストを低く抑えることができる。
【００２９】
また、前記第１ＬＥＤ基板、前記第２ＬＥＤ基板および前記第３ＬＥＤ基板の各々は、前記第１コネクタの前記第１端子および前記第２端子の間を接続状態または非接続状態にするための第１ジャンパと、前記第２コネクタの前記第３端子および前記第４端子の間を接続状態または非接続状態にするための第２ジャンパとを含み、前記第１ＬＥＤ基板の前記第２コネクタの前記第３端子および前記第４端子は、前記第１ＬＥＤ基板の前記第２ジャンパにより接続され、前記第１ＬＥＤ基板の前記第１ジャンパ、前記第２ＬＥＤ基板の前記第１ジャンパおよび前記第２ジャンパ、ならびに前記第３ＬＥＤ基板の前記第２ジャンパは、当該ジャンパに割り当てられた端子間を非接続状態にし、前記第３ＬＥＤ基板の前記第１コネクタの前記第１端子および前記第２端子は、前記第３ＬＥＤ基板の前記第１ジャンパにより接続されても良い。
【００３０】
これによると、ジャンパにより端子間を接続状態にすることで、同一コネクタ内の２つの端子を接続する際に必要とされていたケーブルを無くすことができる。このため、低コストで表示装置を生産することができる。
【００３１】
また、前記第１ＬＥＤ基板および前記第２ＬＥＤ基板の前記第１コネクタは、当該ＬＥＤ基板の裏面に設けられていても良い。
【００３２】
通常、第１ＬＥＤ基板および第２ＬＥＤ基板は、電源回路と表示パネルとの間に設けられる。このため、第１コネクタをＬＥＤ回路の裏面に設けることで、第１コネクタと電源回路とをケーブルで接続しやすくなる。また、第１コネクタと電源回路とを結ぶケーブルの長さを短くすることができる。
【００３３】
本発明の他の態様に係るバックライトは、少なくとも１つのＬＥＤ基板ユニットを備え、各前記ＬＥＤ基板ユニットは、第１ＬＥＤ基板および第２ＬＥＤ基板を含み、前記第１ＬＥＤ基板および前記第２ＬＥＤ基板の各々は、当該ＬＥＤ基板の表面に当該ＬＥＤ基板の長辺方向に並べられ、かつ直列接続された複数のＬＥＤと、当該ＬＥＤ基板の一の短辺に設けられ、かつ前記複数のＬＥＤのうち直列接続の開始位置のＬＥＤのアノードに接続された第１端子と、前記複数のＬＥＤのうち直列接続の終了位置のＬＥＤのカソードに接続された第２端子とを有する第１コネクタとを含み、前記第１ＬＥＤ基板の前記第１コネクタの前記第２端子と、前記第２ＬＥＤ基板の前記第１コネクタの前記第１端子とは接続され、前記第１ＬＥＤ基板の前記第１コネクタの前記第１端子は、電源回路の正極に接続され、前記第２ＬＥＤ基板の前記第１コネクタの前記第２端子は、前記電源回路の負極に接続される。
【００３４】
これによると、第１ＬＥＤ基板と第２ＬＥＤ基板との構成を同一にすることができる。また、各ＬＥＤ基板ユニットに含まれるコネクタの数は２つである。さらに、各ＬＥＤ基板ユニットに必要なケーブルは、第１コネクタ間を接続するためのケーブル、第１ＬＥＤ基板の第１コネクタと電源回路の正極を接続するためのケーブル、および第２ＬＥＤ基板の第１コネクタと電源回路の負極を接続するためのケーブルの３本である。このため、従来に比べ、コネクタの数およびケーブルの本数を減らすことができる。よって、複数のＬＥＤ基板でＬＥＤ基板ユニットを構成した場合に、従来に比べ生産コストを低く抑えることができる。
【発明の効果】
【００３５】
本発明によると、複数のＬＥＤ基板でＬＥＤ基板ユニットを構成した場合に、従来に比べ生産コストを低く抑えることができる表示装置およびバックライトを提供することができる。
【図面の簡単な説明】
【００３６】
【図１】本発明の実施の形態１に係る表示装置の正面側を示す斜視図である。
【図２】図１の表示装置の背面側を示す斜視図である。
【図３】表示装置の内部を示す平面図である。
【図４】バックライトの構成を模式的に示した図である。
【図５】ＬＥＤ基板ユニットを拡大した模式図である。
【図６】ＬＥＤ基板ユニットの回路図である。
【図７】ＬＥＤ駆動回路の配置位置を説明するための、表示装置の内部を示す平面図である。
【図８】ＬＥＤ駆動回路の配置位置を説明するための、リアカバーを取った状態の表示装置の背面図である。
【図９】３枚のＬＥＤ基板より構成されるＬＥＤ基板ユニットの一例を示す回路図である。
【図１０】４枚のＬＥＤ基板より構成されるＬＥＤ基板ユニットの一例を示す回路図である。
【図１１】３枚のＬＥＤ基板より構成されるＬＥＤ基板ユニットの一例を示す回路図である。
【図１２】４枚のＬＥＤ基板より構成されるＬＥＤ基板ユニットの一例を示す回路図である。
【図１３】本発明の実施の形態２に係るＬＥＤ基板ユニットの中心部分を拡大した斜視図である。
【図１４】基板間コネクタの構成を示す図である。
【図１５】２つの第１コネクタをそれぞれ基板間コネクタに接続した後のＬＥＤ基板ユニットの中心部分を拡大した斜視図である。
【図１６】ＬＥＤ基板ユニットの中心部分を拡大した裏面側の斜視図である。
【図１７】従来のバックライトの概略構成を示す模式図である。
【図１８】ＬＥＤ基板ユニットの概略構成を示す模式図である。
【図１９】ＬＥＤ基板ユニットの回路図である。
【発明を実施するための形態】
【００３７】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３８】
（実施の形態１）
［表示装置の構成］
図１は、本発明の実施の形態１に係る表示装置の正面側を示す斜視図である。図２は、図１の表示装置の背面側を示す斜視図である。
【００３９】
表示装置１００は、筐体１０４と、筐体１０４の内部に設けられた表示パネルの一例である液晶パネル１０６とを備える。筐体１０４は、フロントキャビネット１０７と、リアキャビネット１０８が相互に組み合わされることにより構成される。リアキャビネット１０８の外面には、リアカバー１０９が取り付けられている。なお、リアキャビネット１０８とリアカバー１０９との間には、後述するＬＥＤ駆動回路が取り付けられる。
【００４０】
［ＬＥＤ基板ユニットの構成］
図３は、表示装置１００の内部を示す平面図である。リアキャビネット１０８の前面側（表示装置１００の正面側）にリアフレーム１０２が配置される。リアフレーム１０２には、バックライト１１０Ａが配置される。バックライト１１０Ａは、各々が液晶パネル１０６の背面に向けて光を照射する複数のＬＥＤ基板ユニット１１０から構成される。
【００４１】
各ＬＥＤ基板ユニット１１０は、各々が液晶パネル１０６の背面に向けて光を照射する第１ＬＥＤ基板１１０Ｌおよび第２ＬＥＤ基板１１０Ｒを含む。第１ＬＥＤ基板１１０Ｌと第２ＬＥＤ基板１１０Ｒとは、液晶パネル１０６の左右方向に一列に並べられる。
【００４２】
図４は、バックライト１１０Ａの構成を模式的に示した図である。図５は、ＬＥＤ基板ユニット１１０を拡大した模式図である。
【００４３】
第１ＬＥＤ基板１１０Ｌに設けられた第１コネクタ１１４と、第２ＬＥＤ基板１１０Ｒに設けられた第１コネクタ１１４とがケーブル１１６で接続されることにより、２枚のＬＥＤ基板が接続される。また、第１ＬＥＤ基板１１０Ｌの第１コネクタ１１４に接続されたケーブル１１８は、ＬＥＤ駆動回路１０３の正極に接続され、第２ＬＥＤ基板１１０Ｒの第１コネクタ１１４に接続されたケーブル１１８は、ＬＥＤ駆動回路１０３の負極に接続される。これにより、第１ＬＥＤ基板１１０Ｌおよび第２ＬＥＤ基板１１０Ｒは、電源回路の一例であるＬＥＤ駆動回路１０３から供給される電力により駆動する。
【００４４】
図６は、ＬＥＤ基板ユニット１１０の回路図である。
【００４５】
第１ＬＥＤ基板１１０Ｌは、複数のＬＥＤ１１２と、第１コネクタ１１４とを含む。複数のＬＥＤ１１２は、第１ＬＥＤ基板１１０Ｌの表面に第１ＬＥＤ基板１１０Ｌの長辺方向に並べられ、かつ直列接続される。第１コネクタ１１４は、第１ＬＥＤ基板１１０Ｌの一の短辺に設けられ、第１端子１１４Ａと、第２端子１１４Ｂとを含む。第１端子１１４Ａは、複数のＬＥＤ１１２のうち直列接続の開始位置のＬＥＤ１１２のアノードに接続される。第２端子１１４Ｂは、複数のＬＥＤ１１２のうち直列接続の終了位置のＬＥＤ１１２のカソードに接続される。
【００４６】
第２ＬＥＤ基板１１０Ｒは、第１ＬＥＤ基板１１０Ｌと配置の向きが異なるが、同一の構成を有する。つまり、第２ＬＥＤ基板１１０Ｒは、リアフレーム１０２の平面内において、第１ＬＥＤ基板１１０Ｌを１８０度回転させたものと同一の構成を有する。これにより、第１ＬＥＤ基板１１０Ｌの第１コネクタ１１４と、第２ＬＥＤ基板１１０Ｒの第１コネクタ１１４とは対向する位置に配置される。
【００４７】
第１ＬＥＤ基板１１０Ｌの第１コネクタ１１４の第２端子１１４Ｂと、第２ＬＥＤ基板１１０Ｒの第１コネクタ１１４の第１端子１１４Ａとは、ケーブル１１６により接続される。
【００４８】
第１ＬＥＤ基板１１０Ｌの第１コネクタ１１４の第１端子１１４Ａは、ケーブル１１８により、ＬＥＤ駆動回路１０３の正極に接続される。
【００４９】
第２ＬＥＤ基板１１０Ｒの第１コネクタ１１４の第２端子１１４Ｂは、ケーブル１２０により、ＬＥＤ駆動回路１０３の負極に接続される。
【００５０】
このように、ケーブル１１８およびケーブル１２０は、ＬＥＤ基板ユニット１１０の中央部付近から引き出される。
【００５１】
図７は、ＬＥＤ駆動回路１０３の配置位置を説明するための、表示装置１００の内部を示す平面図である。図８は、ＬＥＤ駆動回路１０３の配置位置を説明するための、リアカバー１０９を取った状態の表示装置１００の背面図である。
【００５２】
ＬＥＤ駆動回路１０３は、表示装置１００のほぼ中央であって、リアキャビネット１０８と、リアカバー１０９との間に配置される。なお、図７に示すように、リアフレーム１０２には、ＬＥＤ駆動回路１０３の正極および負極と対向する位置に、開口部１１９が設けられている。ケーブル１１８および１２０は、開口部１１９を通ってＬＥＤ基板ユニット１１０とＬＥＤ駆動回路１０３とを接続する。
【００５３】
以上説明したように、実施の形態１によると、第１ＬＥＤ基板１１０Ｌと第２ＬＥＤ基板１１０Ｒとの構成を同一にすることができる。また、各ＬＥＤ基板ユニットに含まれるコネクタの数は２つ、ケーブルの本数は３本である。このため、従来に比べ、コネクタの数およびケーブルの本数を減らすことができる。よって、複数のＬＥＤ基板でＬＥＤ基板ユニットを構成した場合に、従来に比べ生産コストを低く抑えることができる。
【００５４】
また、第１ＬＥＤ基板１１０Ｌと、第２ＬＥＤ基板１１０Ｒとの向きを異ならせて、両者が並べて配置される。このため、第１ＬＥＤ基板１１０Ｌと第２ＬＥＤ基板１１０Ｒとを結ぶケーブルの長さを短くすることができる。
【００５５】
また、ＬＥＤ基板ユニット１１０の中央部付近からケーブル１１８および１２０が引き出される。また、ＬＥＤ駆動回路１０３は、表示装置１００の中央部付近に配置される。このため、ＬＥＤ基板ユニット１１０とＬＥＤ駆動回路１０３とを接続するためのケーブル１１８および１２０の長さを短くすることができる。
【００５６】
（実施の形態１の変形例１）
実施の形態１では、ＬＥＤ基板ユニット１１０は、第１ＬＥＤ基板１１０Ｌおよび第２ＬＥＤ基板１１０Ｒの２枚のＬＥＤ基板より構成されることとした。本変形例では、３枚以上のＬＥＤ基板より構成されるＬＥＤ基板ユニットについて説明する。
【００５７】
図９は、３枚のＬＥＤ基板より構成されるＬＥＤ基板ユニットの一例を示す回路図である。
【００５８】
ＬＥＤ基板ユニット１３０は、各々が液晶パネル１０６の背面に向けて光を照射する第１ＬＥＤ基板１３０Ａ、第２ＬＥＤ基板１３０Ｂおよび第３ＬＥＤ基板１３０Ｃを含む。これら３枚のＬＥＤ基板は、液晶パネル１０６の左右方向に一列に並べられる。
【００５９】
第１ＬＥＤ基板１３０Ａは、複数のＬＥＤ１１２と、第１コネクタ１１４と、第２コネクタ１１５とを含む。
【００６０】
複数のＬＥＤ１１２は、第１ＬＥＤ基板１３０Ａの表面に第１ＬＥＤ基板１３０Ａの長辺方向に並べられ、かつ直列接続される。
【００６１】
第１コネクタ１１４は、第１ＬＥＤ基板１３０Ａの一の短辺に設けられ、第１端子１１４Ａと、第２端子１１４Ｂとを含む。
【００６２】
第１端子１１４Ａは、複数のＬＥＤ１１２のうち直列接続の開始位置のＬＥＤ１１２のアノードに接続される。第２端子１１４Ｂは、複数のＬＥＤ１１２のうち直列接続の終了位置のＬＥＤ１１２のカソードに接続される。
【００６３】
第２コネクタ１１５は、第１ＬＥＤ基板１３０Ａの他の短辺に設けられ、第３端子１１５Ａと、第４端子１１５Ｂとを含む。第３端子１１５Ａは、第１コネクタ１１４の第１端子１１４Ａに接続される。第４端子１１５Ｂは、複数のＬＥＤ１１２のうち直列接続の開始位置のＬＥＤ１１２のアノードに接続される。
【００６４】
第２ＬＥＤ基板１３０Ｂおよび第３ＬＥＤ基板１３０Ｃは、第１ＬＥＤ基板１３０Ａと同一の構成を有する。ただし、第２ＬＥＤ基板１３０Ｂは、第１ＬＥＤ基板１３０Ａおよび第３ＬＥＤ基板１３０Ｃと配置の向きが異なる。
【００６５】
第１ＬＥＤ基板１３０Ａの第２コネクタ１１５の第３端子１１５Ａおよび第４端子１１５Ｂは、ケーブル１４１により接続される。
【００６６】
第１ＬＥＤ基板１３０Ａの第１コネクタ１１４の第２端子１１４Ｂと、第２ＬＥＤ基板１３０Ｂの第１コネクタ１１４の第１端子１１４Ａとは、ケーブル１１６により接続される。
【００６７】
第１ＬＥＤ基板１３０Ａの第１コネクタ１１４の第１端子１１４Ａは、ケーブル１１８により、ＬＥＤ駆動回路１０３の正極に接続される。
【００６８】
第２ＬＥＤ基板１３０Ｂの第１コネクタ１１４の第２端子１１４Ｂは、ケーブル１２０により、ＬＥＤ駆動回路１０３の負極に接続される。
【００６９】
第２ＬＥＤ基板１３０Ｂの第２コネクタ１１５の第３端子１１５Ａと、第３ＬＥＤ基板１３０Ｃの第２コネクタ１１５の第４端子１１５Ｂとは、ケーブル１４２により接続される。
【００７０】
第２ＬＥＤ基板１３０Ｂの第２コネクタ１１５の第４端子１１５Ｂと、第３ＬＥＤ基板１３０Ｃの第２コネクタ１１５の第３端子１１５Ａとは、ケーブル１４３により接続される。
【００７１】
第３ＬＥＤ基板１３０Ｃの第１コネクタ１１４の第１端子１１４Ａおよび第２端子１１４Ｂは、ケーブル１４４により接続される。
【００７２】
以上説明したように、実施の形態１の変形例１によると、第１ＬＥＤ基板１３０Ａと、第２ＬＥＤ基板１３０Ｂと、第３ＬＥＤ基板１３０Ｃとの構成を同一にして、３枚のＬＥＤ基板を並べて配置することができる。このため、複数のＬＥＤ基板でＬＥＤ基板ユニットを構成した場合に、従来に比べ生産コストを低く抑えることができる。
【００７３】
なお、ＬＥＤ基板の枚数は、３枚に限定されるものではなく、４枚以上であってもよい。
【００７４】
例えば、図１０に示すように、一列に並べられた第１ＬＥＤ基板１３０Ａ、第２ＬＥＤ基板１３０Ｂ、第３ＬＥＤ基板１３０Ｃおよび第４ＬＥＤ基板１３０Ｄの４枚のＬＥＤ基板から、ＬＥＤ基板ユニット１３１が構成されていても良い。第４ＬＥＤ基板１３０Ｄは、第１ＬＥＤ基板１３０Ａ、第２ＬＥＤ基板１３０Ｂおよび第３ＬＥＤ基板１３０Ｃと同一の回路構成を有する。また、第４ＬＥＤ基板１３０Ｄは、第２ＬＥＤ基板１３０Ｂと同一の向きに配置される。
【００７５】
第１ＬＥＤ基板１３０Ａと第２ＬＥＤ基板１３０Ｂとの接続の仕方、第２ＬＥＤ基板１３０Ｂと第３ＬＥＤ基板１３０Ｃとの接続の仕方は、図９に示したＬＥＤ基板ユニット１３０と同じである。以下、第３ＬＥＤ基板１３０Ｃと第４ＬＥＤ基板１３０Ｄとの接続の仕方について説明する。
【００７６】
第３ＬＥＤ基板１３０Ｃの第１コネクタ１１４の第２端子１１４Ｂと、第４ＬＥＤ基板１３０Ｄの第１コネクタ１１４の第１端子１１４Ａとが、ケーブル１４５により接続される。
【００７７】
第３ＬＥＤ基板１３０Ｃの第１コネクタ１１４の第１端子１１４Ａと、第４ＬＥＤ基板１３０Ｄの第１コネクタ１１４の第２端子１１４Ｂとが、ケーブル１４６により接続される。
【００７８】
なお、第４ＬＥＤ基板１３０Ｄの第２コネクタ１１５の第３端子１１５Ａと第４端子１１５Ｂとは、ケーブル１４７により接続される。
【００７９】
（実施の形態１の変形例２）
本変形例では、３枚以上のＬＥＤ基板より構成されるＬＥＤ基板ユニットの他の構成例について説明する。
【００８０】
図１１は、３枚のＬＥＤ基板より構成されるＬＥＤ基板ユニットの一例を示す回路図である。
【００８１】
ＬＥＤ基板ユニット１３２は、各々が液晶パネル１０６の背面に向けて光を照射する第１ＬＥＤ基板１３２Ａ、第２ＬＥＤ基板１３２Ｂおよび第３ＬＥＤ基板１３２Ｃを含む。これら３枚のＬＥＤ基板は、液晶パネル１０６の左右方向に一列に並べられる。
【００８２】
第１ＬＥＤ基板１３２Ａは、図９に示した第１ＬＥＤ基板１３０Ａに、さらに、第１ジャンパ１２４および第２ジャンパ１２５を加えた構成を有する。第１ジャンパ１２４および第２ジャンパ１２５は、例えば、ジャンパスイッチ、ジャンパ抵抗、またはジャンパ線であり、該ジャンパは、２点間の接続または非接続を切り替えるスイッチの機能を有する。
【００８３】
第１ジャンパ１２４は、第１コネクタ１１４の第１端子１１４Ａおよび第２端子１１４Ｂの間を接続状態または非接続状態にするために設けられる。つまり、第１ジャンパ１２４は、複数のＬＥＤ１１２のうち直列接続の終了位置のＬＥＤ１１２のカソードと、第１端子１１４Ａおよび第３端子１１５Ａの接続線１４８とを接続する。
【００８４】
第２ジャンパ１２５は、第２コネクタ１１５の第３端子１１５Ａおよび第４端子１１５Ｂの間を接続状態または非接続状態にするために設けられる。つまり、第２ジャンパ１２５は、複数のＬＥＤ１１２のうち直列接続の開始位置のＬＥＤ１１２のアノードと、第１端子１１４Ａおよび第３端子１１５Ａの接続線１４８とを接続する。
【００８５】
第２ＬＥＤ基板１３２Ｂおよび第３ＬＥＤ基板１３２Ｃは、第１ＬＥＤ基板１３２Ａと同一の構成を有する。ただし、第２ＬＥＤ基板１３２Ｂは、第１ＬＥＤ基板１３２Ａおよび第３ＬＥＤ基板１３２Ｃと配置の向きが異なる。
【００８６】
第１ＬＥＤ基板１３２Ａと第２ＬＥＤ基板１３２Ｂとの接続の仕方、第２ＬＥＤ基板１３２Ｂと第３ＬＥＤ基板１３２Ｃとの接続の仕方は、図９に示したＬＥＤ基板ユニット１３０と同じである。
【００８７】
ＬＥＤ基板ユニット１３０と異なり、ＬＥＤ基板ユニット１３２は、ケーブル１４１および１４４を必要としない。その代わりに、第１ＬＥＤ基板１３２Ａの第２ジャンパ１２５と、第３ＬＥＤ基板１３２Ｃの第１ジャンパ１２４とが、それぞれ端子間を接続状態にする。
【００８８】
それ以外のジャンパ（第１ＬＥＤ基板１３２Ａの第１ジャンパ１２４、第２ＬＥＤ基板１３２Ｂの第１ジャンパ１２４および第２ジャンパ１２５、第３ＬＥＤ基板１３２Ｃの第２ジャンパ１２５）は、当該ジャンパに割り当てられた端子間を非接続状態にする。
【００８９】
以上説明したように、実施の形態１の変形例２によると、第１ＬＥＤ基板１３２Ａと、第２ＬＥＤ基板１３２Ｂと、第３ＬＥＤ基板１３２Ｃとの構成を同一にして、３枚のＬＥＤ基板を並べて配置することができる。このため、複数のＬＥＤ基板でＬＥＤ基板ユニットを構成した場合に、従来に比べ生産コストを低く抑えることができる。
【００９０】
また、ジャンパにより端子間を接続状態にすることで、同一コネクタ内の２つの端子を接続する際に必要とされていたケーブルを無くすことができる。このため、低コストで表示装置を生産することができる。
【００９１】
なお、ＬＥＤ基板の枚数は、３枚に限定されるものではなく、４枚以上であってもよい。
【００９２】
例えば、図１２に示すように、一列に並べられた第１ＬＥＤ基板１３２Ａ、第２ＬＥＤ基板１３２Ｂ、第３ＬＥＤ基板１３２Ｃおよび第４ＬＥＤ基板１３２Ｄの４枚のＬＥＤ基板から、ＬＥＤ基板ユニット１３３が構成されていても良い。第４ＬＥＤ基板１３２Ｄは、第１ＬＥＤ基板１３２Ａ、第２ＬＥＤ基板１３２Ｂおよび第３ＬＥＤ基板１３２Ｃと同一の回路構成を有する。また、第４ＬＥＤ基板１３２Ｄは、第２ＬＥＤ基板１３２Ｂと同一の向きに配置される。
【００９３】
第１ＬＥＤ基板１３２Ａと第２ＬＥＤ基板１３２Ｂとの接続の仕方、第２ＬＥＤ基板１３２Ｂと第３ＬＥＤ基板１３２Ｃとの接続の仕方は、図９に示したＬＥＤ基板ユニット１３２と同じである。以下、第３ＬＥＤ基板１３２Ｃと第４ＬＥＤ基板１３２Ｄとの接続の仕方について説明する。
【００９４】
第３ＬＥＤ基板１３２Ｃの第１コネクタ１１４の第２端子１１４Ｂと、第４ＬＥＤ基板１３２Ｄの第１コネクタ１１４の第１端子１１４Ａとが、ケーブル１４５により接続される。
【００９５】
第３ＬＥＤ基板１３２Ｃの第１コネクタ１１４の第１端子１１４Ａと、第４ＬＥＤ基板１３２Ｄの第１コネクタ１１４の第２端子１１４Ｂとが、ケーブル１４６により接続される。
【００９６】
なお、第３ＬＥＤ基板１３２Ｃの第１ジャンパ１２４は、第１コネクタ１１４の第１端子１１４Ａと第２端子１１４Ｂとの間を非接続状態にする。
【００９７】
また、第４ＬＥＤ基板１３２Ｄの第１ジャンパ１２４は、第１コネクタ１１４の第１端子１１４Ａと第２端子１１４Ｂとの間を非接続状態にし、第２ジャンパ１２５は、第２コネクタ１１５の第３端子１１５Ａと第４端子１１５Ｂとの間を接続状態にする。
【００９８】
（実施の形態２）
実施の形態１では、２枚のＬＥＤ基板間をケーブルで接続した。本実施の形態では、２枚のＬＥＤ基板間をコネクタで接続する点が、実施の形態１と異なる。
【００９９】
以下の説明では、実施の形態１と異なる点を中心に説明する。
【０１００】
実施の形態２に係るＬＥＤ基板ユニットは、実施の形態１と同様に第１ＬＥＤ基板１１０Ｌおよび第２ＬＥＤ基板１１０Ｒにより構成される。
【０１０１】
図１３は、本発明の実施の形態２に係るＬＥＤ基板ユニット１１０の中心部分を拡大した斜視図である。
【０１０２】
第１コネクタ１１４の第１端子１１４Ａおよび第２端子１１４Ｂの形状は、それぞれオス形状である。２つの第１コネクタ１１４は、メス形状の端子を有する基板間コネクタ１４０にそれぞれ接続される。また、２つの第１コネクタ１１４は、各第１ＬＥＤ基板の表面に配置される。
【０１０３】
図１４は、基板間コネクタ１４０の構成を示す図である。基板間コネクタ１４０は、各々がメス形状の端子である、第１端子１４０Ａ、第２端子１４０Ｂ、第３端子１４０Ｃおよび第４端子１４０Ｄを有する。また、基板間コネクタ１４０は、第１開口部１４０Ｅおおび第２開口部１４０Ｆを有する。
【０１０４】
第１端子１４０Ａおよび第３端子１４０Ｃは、基板間コネクタ１４０の内部で接続されている。
【０１０５】
第２端子１４０Ｂからは、第１開口部１４０Ｅを通してケーブル１１８が引き出されている。また、第４端子１４０Ｄからは、第２開口部１４０Ｆを通してケーブル１２０が引き出されている。
【０１０６】
図１５は、２つの第１コネクタ１１４をそれぞれ基板間コネクタ１４０に接続した後のＬＥＤ基板ユニット１１０の中心部分を拡大した斜視図である。図１５に示すように、基板間コネクタ１４０を用いることで、ケーブルを用いることなく、２つの第１コネクタ１１４を接続することができる。
【０１０７】
以上説明したように、実施の形態２によると、基板間コネクタ１４０における第１端子１４０Ａおよび第３端子１４０Ｃが予め接続されている。このため、第１ＬＥＤ基板１１０Ｌの第１コネクタ１１４と第２ＬＥＤ基板１１０Ｒの第１コネクタ１１４とを基板間コネクタ１４０を用いて接続するだけで、第１ＬＥＤ基板１１０Ｌと第２ＬＥＤ基板１１０Ｒとを接続することができる。また、予めケーブル１１８およびケーブル１２０が基板間コネクタ１４０に接続されていることより、第１ＬＥＤ基板１１０Ｌの第１コネクタ１１４の第１端子１１４Ａをケーブル１１８に接続する手間と、第２ＬＥＤ基板１１０Ｒの第１コネクタ１１４の第２端子１１４Ｂをケーブル１２０に接続する手間とを削減することができる。
【０１０８】
また、接続される各端子組の一方をオス形状、一方をメス形状とすることにより、コネクタ同士を直接接続することができる。
【０１０９】
なお、実施の形態２では、第１コネクタ１１４をＬＥＤ基板の表面に配置することとしたが、第１コネクタ１１４をＬＥＤ基板の裏面に配置しても良い。
【０１１０】
図１６は、ＬＥＤ基板ユニット１１０の中心部分を拡大した裏面側の斜視図である。図１６に示すように、裏面側において、２つの第１コネクタ１１４と基板間コネクタ１４０とが接続される。
【０１１１】
通常、第１ＬＥＤ基板１１０Ｌおよび第２ＬＥＤ基板１１０Ｒは、ＬＥＤ駆動回路１０３と液晶パネル１０６との間に設けられる。このため、第１コネクタ１１４をＬＥＤ回路の裏面に設けることで、第１コネクタ１１４とＬＥＤ駆動回路１０３とをケーブルで接続しやすくなる。また、第１コネクタ１１４とＬＥＤ駆動回路１０３とを結ぶケーブルの長さを短くすることができる。
【０１１２】
以上、本発明の実施の形態に係る表示装置およびバックライトについて説明したが、本発明は、この実施の形態に限定されるものではない。
【０１１３】
例えば、実施の形態１および２では、直下型のバックライトについて説明したが、実施の形態１および２に示したバックライトをエッジ型のバックライトに適用しても良い。
【０１１４】
また、上記実施の形態及び上記変形例をそれぞれ組み合わせるとしても良い。
【産業上の利用可能性】
【０１１５】
本発明は、ＬＥＤバックライトを備える再生装置として、例えば、液晶テレビまたは液晶ディスプレイ装置などに適用できる。
【符号の説明】
【０１１６】
１００  表示装置
１０２  リアフレーム
１０３  ＬＥＤ駆動回路
１０４  筐体
１０６  液晶パネル
１０７  フロントキャビネット
１０８  リアキャビネット
１０９  リアカバー
１１０、１３０、１３１、１３２、１３３、１５０  ＬＥＤ基板ユニット
１１０Ａ、１５０Ａ  バックライト
１１０Ｌ、１３０Ａ、１３２Ａ、１５０Ｌ  第１ＬＥＤ基板
１１０Ｒ、１３０Ｂ、１３２Ｂ、１５０Ｒ  第２ＬＥＤ基板
１１４、１５１  第１コネクタ
１１４Ａ、１４０Ａ、１５１Ａ  第１端子
１１４Ｂ、１４０Ｂ、１５１Ｂ  第２端子
１１５、１５２  第２コネクタ
１１５Ａ、１４０Ｃ、１５２Ａ  第３端子
１１５Ｂ、１４０Ｄ、１５２Ｂ  第４端子
１１６、１１８、１２０、１４１、１４２、１４３、１４４、１４５、１４６、１４７、１５４、１５６  ケーブル
１１９  開口部
１２４  第１ジャンパ
１２５  第２ジャンパ
１３０Ｃ、１３２Ｃ  第３ＬＥＤ基板
１３０Ｄ、１３２Ｄ  第４ＬＥＤ基板
１４０  基板間コネクタ
１４０Ｅ  第１開口部
１４０Ｆ  第２開口部
１４８  接続線
１５３  第３コネクタ
１５３Ａ  第５端子
１５３Ｂ  第６端子
【図１】
2014206641.tif 000003
【図２】
2014206641.tif 000004
【図３】
2014206641.tif 000005
【図４】
2014206641.tif 000006
【図５】
2014206641.tif 000007
【図６】
2014206641.tif 000008
【図７】
2014206641.tif 000009
【図８】
2014206641.tif 000010
【図９】
2014206641.tif 000011
【図１０】
2014206641.tif 000012
【図１１】
2014206641.tif 000013
【図１２】
2014206641.tif 000014
【図１３】
2014206641.tif 000015
【図１４】
2014206641.tif 000016
【図１５】
2014206641.tif 000017
【図１６】
2014206641.tif 000018
【図１７】
2014206641.tif 000019
【図１８】
2014206641.tif 000020
【図１９】
2014206641.tif 000021